(57)【要約】  【課題】  限られた印刷面に機械が読み取るコードとユーザが読み取る情報とを効率よく印刷すること。  【解決手段】  周波数領域にてＩＤパターンを定義し、これを逆フーリエ変換にて変換する。ＩＤパターンは逆フーリエ変換することにより画面全体に分散した模様（ＩＤ画像：以下、ＩＤ背景画像と呼ぶ）となる。本実施の形態の印刷装置は、多色にて重畳印刷された複数のＩＤ背景画像を背景画像として、ＩＤ背景画像上に文字、画像（図柄）、点字などで構成された表記情報を印刷する。このように、複数のＩＤ背景画像をそれぞれ異なる色にて重畳して印刷し、印刷面に印刷されるＩＤ背景画像を多重化することにより、限られた印刷面により多くの情報を印刷することができる。重畳して印刷されＩＤ背景画像の分離は、撮影画像をフィルタリングすることにより行うことができる。  【選択図】  図１
2006270379.tif 000002
【特許請求の範囲】
【請求項１】
周波数領域にてＩＤ情報を規定した複数のＩＤ画像を取得して記憶手段に記憶するＩＤ画像取得手段と、
前記取得した複数のＩＤ画像をそれぞれ異なる印刷色にて印刷するための印刷色を設定する印刷色設定手段と、
文字、画像、点字の少なくとも１つから構成される表記情報を取得して記憶手段に記憶する表記情報取得手段と、
前記印刷色を設定したＩＤ画像と、前記取得した表記情報と、を印刷媒体に重畳して印刷するための印刷情報を生成する印刷情報生成手段と、
前記生成した印刷情報を用いて、前記複数のＩＤ画像と前記表記情報を印刷媒体に印刷する印刷手段と、
を具備したことを特徴とする印刷装置。
【請求項２】
前記印刷色は、３原色のうちの何れかであることを特徴とする請求項１に記載の印刷装置。
【請求項３】
ＩＤ情報を取得して記憶手段に記憶するＩＤ情報取得手段と、
前記取得したＩＤ情報を周波数領域にて規定するＩＤ画像を生成するＩＤ画像生成手段と、
を具備し、
前記ＩＤ画像取得手段は、前記生成したＩＤ画像を取得することを特徴とする請求項１、又は請求項２に記載の印刷装置。
【発明の詳細な説明】
【技術分野】
【０００１】
本発明は、印刷装置に関し、例えば、周波数領域でＩＤ情報を埋め込んだ画像を背景として原画像を印刷するものに関する。
【背景技術】
【０００２】
近年、画像に電子透かしを埋め込んだり、画像の近辺に２次元バーコードを印刷したりなどして、画像に付加的な情報を付属させることが行われている。
電子透かしや２次元バーコードは、例えば、ＵＲＬ（Ｕｎｉｆｏｒｍ  Ｒｅｓｏｕｒｃｅ  Ｌｏｃａｔｏｒｓ）に対応づけられており、ユーザは電子透かしが埋め込まれた画像や２次元バーコードを携帯電話のカメラで撮影し、当該ＵＲＬで指定されるウェブサイトに携帯電話を自動的に接続することができる。
【０００３】
一般に、このような付加的な情報を有する画像は、印刷工場などに設置した高度な印刷装置を用いて行うが、次の特許文献１に記載されているレシートのように、店頭に備えたキャッシュレジスタのレシート印刷装置のような粗い印刷機能しか有しない小規模な印刷装置にて付加情報を印刷する技術も提案されている。
【０００４】
【特許文献１】特開２０００−２３５６６９
【０００５】
この発明は、レシートに２次元バーコードにて付加的な情報を埋め込み、これを用いて商品の返品・交換などの例外的な処理を効率よく行うものである。
【発明の開示】
【発明が解決しようとする課題】
【０００６】
ところが、レシートのように印刷面積が限られている印刷媒体に、２次元バーコードなどの機械が読み取るコードを印刷すると、ユーザが読み取る情報を印刷する領域の面積が圧迫されるという問題がある。
【０００７】
そこで、本発明の目的は、限られた印刷面に機械が読み取るコードとユーザが読み取る情報とを効率よく印刷することである。
【課題を解決するための手段】
【０００８】
本発明は、前記目的を達成するために、周波数領域にてＩＤ情報を規定した複数のＩＤ画像を取得して記憶手段に記憶するＩＤ画像取得手段と、前記取得した複数のＩＤ画像をそれぞれ異なる印刷色にて印刷するための印刷色を設定する印刷色設定手段と、文字、画像、点字の少なくとも１つから構成される表記情報を取得して記憶手段に記憶する表記情報取得手段と、前記印刷色を設定したＩＤ画像と、前記取得した表記情報と、を印刷媒体に重畳して印刷するための印刷情報を生成する印刷情報生成手段と、前記生成した印刷情報を用いて、前記複数のＩＤ画像と前記表記情報を印刷媒体に印刷する印刷手段と、を具備したことを特徴とする印刷装置を提供する（第１の構成）。
第１の構成において、前記印刷色は、３原色のうちの何れかであるように構成することもできる（第２の構成）。
第１の構成、又は第２の構成において、ＩＤ情報を取得して記憶手段に記憶するＩＤ情報取得手段と、前記取得したＩＤ情報を周波数領域にて規定するＩＤ画像を生成するＩＤ画像生成手段と、を具備し、前記ＩＤ画像取得手段は、前記生成したＩＤ画像を取得するように構成することもできる（第３の構成）。
【発明の効果】
【０００９】
本発明によると、限られた印刷面に機械が読み取るコードとユーザが読み取る情報とを効率よく印刷することができる。
【発明を実施するための最良の形態】
【００１０】
（１）実施の形態の概要
周波数領域にてＩＤパターンを定義し、これを逆フーリエ変換にて変換する。ＩＤパターンは逆フーリエ変換することにより画面全体に分散した模様（ＩＤ画像：以下、ＩＤ背景画像と呼ぶ）となる。
本実施の形態の印刷装置は、複数のＩＤ背景画像を、フィルタによって分離可能な異なる色にて重ねて印刷し、このＩＤ背景画像上に文字、画像（図柄）、点字などで構成された表記情報を印刷する。
【００１１】
このように、複数のＩＤ背景画像をそれぞれ異なる色にて重畳して印刷し、印刷面に印刷されるＩＤ背景画像を多重化することにより、限られた印刷面により多くの情報を印刷することができる。
重畳して印刷されたＩＤ背景画像の分離は、ＩＤ背景画像を撮影した撮影画像をフィルタリングすることにより行うことができる。
例えば、ＩＤ背景画像をそれぞれ３原色で重畳して印刷した場合、これらＩＤ背景画像を３原色のフィルタを透過させることにより分離することができる。
【００１２】
ところで、表記情報が印刷された部分では、ＩＤ背景画像が損なわれてしまうが、ＩＤ背景画像の残りの部分の模様をフーリエ変換することによりＩＤパターンを復元することできる。
実験では、ＩＤ背景画像が５０％程度まで失われても元のＩＤパターンが復元できることが確認されている。
【００１３】
本実施の形態では、ＩＤ背景画像を背景として表記情報を印刷した印刷媒体を、携帯電話のカメラで撮影し、その撮影画像データを携帯電話からＵＲＬサーバ装置に送信する。
ＵＲＬサーバは、携帯電話から撮影画像データを受信し、これをフィルタリングして分離した後、フーリエ変換して各色のＩＤ背景画像ごとのＩＤパターンを抽出する。
【００１４】
ＵＲＬサーバは、ＩＤパターンとＵＲＬを対応づけて記憶しており、抽出したＩＤパターンに対応づけられているＵＲＬを用いてトップ画面を表示するための画面データを生成して携帯電話に送信する。
この画面データによって表示されるトップ画面では、ＩＤパターンに対応づけられている複数のＵＲＬが選択可能に表示される。即ち、重畳して印刷したＩＤ背景画像によって、携帯電話で表示されるトップ画面を設定（カスタマイズ）することができる。
【００１５】
ユーザが携帯電話において画面に表示されたＵＲＬを選択すると、携帯電話は選択されたＵＲＬにて指定されるウェブサイトに接続し、当該ウェブサイトが提供するサービスを利用する。
このように、本実施の形態では、ＩＤ背景画像を介して印刷媒体に複数のＵＲＬが関係づけられている。
【００１６】
図１は、ＩＤ背景画像の概念を説明するための図である。
まず、本実施の形態では、ＩＤ情報であるＩＤパターン１０を周波数領域にて定義する。
ＩＤパターン１０は、内周円と外周円の周上に点で構成されたＩＤパターン成分１６を分散させて構成されている。
【００１７】
垂直方向の軸と水平方向の軸の原点が低周波数側で、原点から離れるほど高周波数側となっている。
なお、これはＩＤパターンの一例であって、円の個数、円の半径などをパラメータとして各種のＩＤパターンを定義することができる。
【００１８】
ＩＤパターン１０を逆フーリエ変換すると実空間でのＩＤ背景画像１１が得られる。ＩＤ背景画像１１は、画像全体に模様が拡散したものとなる。
なお、ＩＤパターンを規定する場合、このように逆フーリエ変換後の画像が画像全体に分散するようなものを選択するのが望ましい。
【００１９】
ＩＤパターン１０を逆フーリエ変換してＩＤ背景画像１１が得られるが、逆にＩＤ背景画像１１をフーリエ変換するとＩＤパターンが得られるという関係がある。
このように、適当なＩＤパターンを選択してフーリエ変換すると、ＩＤパターンを復元するための情報が画像全体に拡散し、圧縮や切り取りなどの加工に対して耐性が生じる。
【００２０】
即ち、ＩＤパターンを規定する情報が画像全体に拡散するため、画像を拡大縮小したり、一部を切り取ったりしても、画像に残っている情報からＩＤパターンを復元することができる。
【００２１】
本実施の形態では、ＩＤ背景画像１１をキャッシュレジスタのレシート印刷機構などの小規模な印刷装置で印刷するために２値化し、２値化したＩＤ背景画像１２を生成する。
そして、表記情報が目視できるように２値化したＩＤ背景画像１２の濃淡を調節し、ＩＤ背景画像１２を背景として表記情報を印刷して印刷物１３を生成する。
印刷物１３では、「明日は特売日」なる文字情報が表記情報１４として印刷されている。
【００２２】
カメラで印刷物１３を撮影したデジタル画像データをフーリエ変換すると、ＩＤパターン１５が得られる。
ＩＤパターン１５では、ＩＤパターン成分１６が復元されるほか、表記情報１４の周波数成分１７が形成される。
表記情報１４の周波数成分１７は、低周波側に偏って分布する傾向があるため、周波数成分１７からＩＤパターン成分１６を識別して抽出することができる。
【００２３】
このようにしてＩＤパターン１５で復元されたＩＤパターン成分１６を抽出し、ＩＤパターン１０のＩＤパターン成分１６との一致を確認することにより、印刷物１３に含まれていたＩＤ情報を特定することができる。
【００２４】
図２は、以上のようにして構成したＩＤ背景画像の多重化を説明するための図である。ここでは、２つのＩＤパターン１０とＩＤパターン１０ａを多重化する。
【００２５】
ここでは、一例として、ＩＤパターン１０を、同心の内周円と外周円上にＩＤパターン成分を表す点を等間隔で配置したもので構成し、ＩＤパターン１０ａは、ＩＤパターン１０の内周円よりも小径の円周上にＩＤパターン成分を表す点を配置したもので構成した。
【００２６】
ＩＤパターン１０、１０ａをそれぞれ逆フーリエ変換した後２値化し、必要ならば濃淡を調節してＩＤ背景画像１２、１２ａが得られる。
ここでは、ＩＤ背景画像を多重化するための色として３原色を採用し、ＩＤ背景画像１２を赤色で印刷し、ＩＤ背景画像１２ａを青色で印刷することにする。
【００２７】
印刷物１３は、ＩＤ背景画像１２を赤色で印刷し、これに重ね合わせてＩＤ背景画像１２ａを青色で印刷してある。更に、これら背景画像上に表記情報１４が印刷してある。
【００２８】
このようにして構成された印刷物１３において、印刷物１３を撮影し、その画像を赤色と青色のフィルタでフィルタリングすると、ＩＤ背景画像１２とＩＤ背景画像１２ａを分離することができる。
そして、分離したＩＤ背景画像１２とＩＤ背景画像１２ａをそれぞれフーリエ変換するとＩＤパターン１０とＩＤパターン１０ａを復元することができる。
このように、本実施の形態は、分離可能な多色でＩＤ背景画像を重ねて印刷することにより複数のＩＤパターンを同一の印刷面に記録することができる。
【００２９】
このように、本実施の形態では、複数の色材を用いてＩＤパターンを定義することにより、限られた印刷面に機械が読み取るコードとユーザが読み取る情報を効率よく印刷することができる。
なお、上の例では、２つのＩＤパターンを多重化する場合を例にとり説明したが、更に多くのＩＤパターンを多重化することができる。
【００３０】
（２）実施の形態詳細
図３は、本実施の形態の情報提供システム１の構成を示したブロック図である。
情報提供システム１は、ＵＲＬサーバ２、プリンタ３、レシート４、携帯電話５、サービスサーバ６などにより構成されている。
また、図３では、プリンタ３と携帯電話５を１台のみ示してあるが、プリンタ３は各プリンタユーザごとに、携帯電話５は各携帯電話ユーザことに存在している。
【００３１】
ＵＲＬサーバ２は、ＩＤパターンとＵＲＬを対応づけたＩＤデータベースを備えており、これを用いてプリンタ３へＩＤ背景画像を提供したり、携帯電話５へＵＲＬを提供したりするサーバ装置である。
【００３２】
図４にＩＤデータベースの論理的な構成の一例を示す。
ＩＤデータベース１９は、「ＩＤ登録番号」、「ＩＤパターン」、「ＵＲＬ」、「サイト名」などの項目から構成されている。
「ＩＤ登録番号」は、ＩＤパターンやＵＲＬを管理するための管理番号であり、ＩＤパターンとＵＲＬの各組に一意に付与されている。
【００３３】
「ＩＤパターン」には、ＩＤパターンを定義した画像（図１のＩＤパターン１０に対応）が格納されている。
「ＵＲＬ」には、所定のウェブサイトへ接続するための接続情報であるＵＲＬが格納されている。
【００３４】
「サイト名」には、「ＵＲＬ」で特定されるウェブサイトの名称が格納されている。この名称は、後に携帯電話ユーザがトップ画面でウェブサイトを選択できるように、選択ボタン上に表示される。
【００３５】
ＩＤデータベース１９では、ＩＤパターンとＵＲＬ、及びウェブサイトの名称が対応づけられて記憶されており、ＩＤパターンを特定するとこれに対応するＵＲＬとウェブサイトの名称が得られるようになっている。
【００３６】
次に、ＵＲＬサーバ２が有するプリンタ３へのＩＤ情報提供機能について説明する。
ＵＲＬサーバ２とプリンタ３は、例えば、インターネットなどのネットワークとを介して接続可能に配設されており、ＵＲＬサーバ２はネットワークを介してＩＤ情報をＩＤ背景画像の形でプリンタ３に提供する。
【００３７】
本実施の形態では、ＵＲＬサーバ２は、ＩＤパターンを逆フーリエ変換してＩＤ背景画像を生成し、更に、このＩＤ背景画像を２値化して（図１のＩＤ背景画像１２に対応）プリンタ３に送信する。
このように、ＩＤ背景画像を２値化してからプリンタ３に送信することにより、プリンタ３での画像処理が不要となると共にＵＲＬサーバ２がプリンタ３に送信するデータのデータ量も少なくすることができる。
【００３８】
なお、これは一例であって、ＵＲＬサーバ２がプリンタ３にＩＤパターンを送信し、プリンタ３で逆フーリエ変換、及び２値化しても良いし、あるいは、逆フーリエ変換までをＵＲＬサーバ２で行い、プリンタ３が２値化を行うように構成しても良い。
即ち、ＩＤパターン（ＩＤ情報）を取得して記憶手段に記憶するＩＤ情報取得手段と、このＩＤパターンを周波数領域にて規定するＩＤ背景画像（ＩＤ画像）を生成するＩＤ画像生成手段を、ＵＲＬサーバ２又はプリンタ３の何れに設けてもよい。
【００３９】
次に、ＵＲＬサーバ２が有する携帯電話５へのＵＲＬ提供機能について説明する。
ＵＲＬサーバ２（図３）は、インターネットなどのネットワークを介して携帯電話５からレシート４を撮影した撮影画像データを受信する。
【００４０】
レシート４は、プリンタ３が印刷した印刷媒体であって、その外観は図５に示したようになっている。
即ち、レシート４には、多色で印刷したＩＤ背景画像２０を背景として表記情報２１（この場合「スーパー松田」という文字列）が印刷されている。分離可能な色であれば何でもよいが、本実施の形態では、赤と青により２つのＩＤ背景画像が重ねて印刷されてＩＤ背景画像２０が形成されているものとする。
【００４１】
ＵＲＬサーバ２（図３）は、携帯電話５から撮影画像データを受信し、赤色と青色でフィルタリングして２種類のＩＤ背景画像に分離する。
そして、分離した赤色のＩＤ背景画像と青色のＩＤ背景画像のそれぞれからＩＤパターンを抽出してフーリエ変換し、２つのＩＤパターンを復元する。
【００４２】
次に、ＵＲＬサーバ２は、復元した２つのＩＤパターンのそれぞれをＩＤデータベース１９に記憶してあるＩＤパターンと照合する。
そして、ＵＲＬサーバ２は、検索した２つのＵＲＬと、当該ＵＲＬで特定されるウェブサイトの名称を用いて携帯電話５でトップ画面を表示するための画面データを生成し、これを携帯電話５に送信する。
【００４３】
なお、本実施の形態では、撮影した画像の分離とフーリエ変換及びＩＤパターンの抽出をＵＲＬサーバ２で行うように構成したが、携帯電話５がＩＤパターンの抽出まで行ってＵＲＬサーバ２に送信するように構成することもできる。
【００４４】
ＵＲＬサーバ２でＩＤパターンの抽出を行う場合、携帯電話５にＩＤパターン抽出のための画像処理機能を備える必要がなく、携帯電話５の負荷を低減することができる。
一方、携帯電話５でＩＤパターンの抽出を行う場合、携帯電話５での撮影ミスによる撮影画像データの送信を受けずに済み、また、ＵＲＬサーバ２で画像処理を行う必要がないため、ＵＲＬサーバ２の負荷を低減することができる。
【００４５】
次に、プリンタ３について説明する。プリンタ３は、例えば、店舗の会計エリアに設置したキャッシュレジスタであり、会計機能とレシート印刷機能を備えている。
【００４６】
図６は、プリンタ３の機能的な構成の一例を示したブロック図である。
プリンタ３は、画像データ受信部２５、画像データ記憶部２６、画像データ選択部２７、印刷情報生成部２８、印刷部２９、印刷内容生成部３０、情報入力部３１などから構成されている。
【００４７】
画像データ受信部２５は、ＵＲＬサーバ２への接続情報を有しており、ネットワークを介してＵＲＬサーバ２に接続してＵＲＬサーバ２から２値化されたＩＤ背景画像を受信する。
【００４８】
ＵＲＬサーバ２から画像データ受信部２５に送信されるＩＤ背景画像は、プリンタ３がＵＲＬサーバ２に対してＩＤ登録番号を要求するように構成したり、あるいは、送信するＩＤ背景画像をＵＲＬサーバ２が決めるように構成したりすることができる。
【００４９】
画像データ記憶部２６は、例えば、ハードディスクや半導体メモリなどの記憶媒体を用いて構成されており、画像データ受信部２５がＵＲＬサーバ２から受信したＩＤ背景画像を記憶する。
画像データ記憶部２６は、ＩＤ背景画像を複数記憶することができ、画像データ記憶部２６に記憶された各ＩＤ背景画像は、ＩＤ登録番号により識別できるようになっている。
【００５０】
画像データ選択部２７は、レシート４を印刷する際に、画像データ記憶部２６に記憶されたＩＤ背景画像から印刷するＩＤ背景画像を選択すると共に、その印刷色を設定する。
ＩＤ背景画像の選択方法は、例えば、記憶している複数のＩＤ背景画像が平均的に選択されるようにしたり、あるいは、表記情報に関連づけて選択されたりなど、各種の方法が考えられる。
【００５１】
また、画像データ記憶部２６に単一のＩＤ背景画像を記憶しておき、常に同じＩＤ背景画像を印刷するように構成しても良い。
印刷色の設定は、ＵＲＬサーバ２が分離できる色をプリンタユーザに提示し、プリンタユーザがＩＤ背景画像ごとに色を選択したり、あるいは画像データ選択部２７が自動的に選択してこれをＩＤ背景画像に付与することにより設定する（印刷色設定手段）。
【００５２】
情報入力部３１は、テンキーや機能キー、バーコード読み取り装置などによって構成されており、商品を特定する商品特定情報と数量の入力などを受け付ける。
店舗で販売される商品は、例えば、バーコードなどで商品コードが付与されており、プリンタ３は、商品コードに対応させて商品の価格、商品名などの当該商品に関する付属情報を記憶している。
そのため、会計担当者が情報入力部３１から商品コードと数量を入力することにより、プリンタ３は会計計算を行うことができる。
【００５３】
印刷内容生成部３０は、情報入力部３１から入力された商品コードと数量や、商品コードに対応づけて記憶している価格などからレシートに印刷する項目（印刷内容）を生成する。
印刷内容に、商品名、個数、商品の単価、及び会計に係る商品の合計金額、会計日時、店舗の名称やロゴマークなどから構成されている。なお、印刷部２９が点字印刷機能を有する場合は、印刷内容として点字を含めることもできる。
なお、印刷内容のうち、ＩＤ背景画像の上に印刷される項目（図５の表記情報２１など）は表記情報を構成している。
【００５４】
印刷情報生成部２８は、画像データ選択部２７が選択したＩＤ背景画像を取得し（ＩＤ画像取得手段）、及び印刷内容生成部３０が生成した印刷内容を取得する（表記情報取得手段：印刷内容には、ＩＤ背景画像に上書きして印刷する表記情報が含まれている）。
【００５５】
印刷情報生成部２８（印刷情報生成手段）は、画像データ選択部２７から取得したＩＤ背景画像（異なる色が設定されている）を重ねると共に、ＩＤ背景画像の一部の領域に、印刷内容生成部３０から取得した表記情報を配置するなどして印刷情報を生成する。
【００５６】
表記情報の配置は、ＩＤ背景画像に表記情報を上書きすることにより行う。即ち、ＩＤ背景画像のうち、表記情報が印刷される部分の情報は、表記情報により置き換えられる。
【００５７】
そのため、表記情報が印刷される領域ではＩＤ背景画像の情報が失われてしまうが、背景として残っている部分からＩＤパターンをＩＤパターンの原画と照合可能な程度まで復元することが可能である。
【００５８】
実験により、ＩＤ背景画像が面積で５０％程度まで失われてもＩＤパターンが復元可能であることがわかっている。
そのため、印刷情報生成部２８は、表記情報を印刷する領域の面積が、ＩＤ背景画像の面積の５０％以下となるようにする。
【００５９】
また、印刷情報生成部２８は、ＩＤ背景画像と表記情報を色ごとに独立に濃淡度を調節する機能を備えている。
これは、ＩＤ背景画像の印刷が濃いと、表記情報が目視にて判別しにくくなるため、ＩＤパターンが再現できる範囲内でＩＤ背景画像を薄くするためである。
また、表記情報やその他の印刷内容に関しても目視に適する濃淡度に調節することができる。
【００６０】
プリンタユーザ（会計担当者など）は、プリンタ３の表示装置に表示された濃淡度調節画面などを用いてプリンタ３を操作することにより、ＩＤ背景画像と印刷内容の濃淡度を微調整することができる。
そして、プリンタユーザにより設定された濃淡の情報は、印刷情報生成部２８により印刷情報に記録され、印刷部２９は、設定された濃淡によりレシートを印刷する。
【００６１】
印刷部２９（印刷手段）は、印刷情報生成部２８が生成した印刷情報に従って、印刷媒体に印刷を行う。印刷部２９は、各ＩＤ背景画像に設定された色にてこれらを印刷するように多色印刷機能を備えている。
印刷媒体は、例えば、ロール状に巻かれて収納されたロール紙で構成されており、印刷部２９は、この印刷媒体上に単色のドットを発色させることにより印刷を行う。なお、印刷部２９はカッターを備えており、印刷が終了すると印刷媒体を適当な箇所で切断する。
【００６２】
印刷方式としては、インパクト方式、及びノンインパクト方式のものを各種利用することができる。
インパクト方式のものとしては、例えば、印刷ヘッドのピンを印刷媒体に打ち付けることによりインク・リボンのインクを転写するものがある。
この方式では、印刷情報に従って印刷媒体上にインクのドットを分布させることによりＩＤ背景画像と印刷内容を印刷する。
【００６３】
また、ノンインパクト方式のものとしては、例えば、熱転写方式がある。これは、印刷媒体に含まれる感熱紙インクをサーマルヘッドの通電により発生したジュール熱で発色させるものである。熱転写方式は、印刷装置が小型・軽量、メンテナンスフリーとなるため、キャッシュレジスタなどの簡易な印刷機能を備えた装置で多用されている。
この他のノンインパクト方式のものとしては、インクジェットを用いたものやレーザを用いたものなどがある。
【００６４】
また、画像の濃淡度を調節する方式として印刷単位である面素（セル）内の濃度を変化させる濃度階調方式と、面素内のドット面積比率を変化させる面積階調方式がある。
これらの方式の何れを用いても良いが、印刷部２９は、面積階調方式を採用している。
ＩＤ背景画像はデジタルデータにより構成されているが、デジタル方式で面積階調を行う場合は、画素を２値ドットで形成することが一般に行われている。
【００６５】
このため、印刷部２９は、図７の模式図に示したように、面積階調を矩形形状を有する（他の形状でも良い）単一の２値ドットに対応させ、この２値ドットの配置により面積階調を行う機能を備えている。
図７では、面素６３内の面積の小さいドットを面素６４内の２値ドット１つに対応させ、面素６５内の面積の中くらいのドットを面素６６内の２値ドット３つに対応させ、更に、面素６７内の面積の大きなドットを面素６８内の２値ドット９つに対応させている。
【００６６】
以上のように印刷部２９は、面積階調と２値ドットの対応を記憶しており、印刷情報生成部２８で設定された濃淡度に応じた２値ドットの配置を取得する（２値ドット取得手段）。
なお、図７は模式図であって、面積階調と２値ドットの配置の対応は各種考えられる。
【００６７】
図８は、プリンタ３のハードウェア的な構成の一例を示したブロック図である。
プリンタ３は、ＣＰＵ（Ｃｅｎｔｒａｌ  Ｐｒｏｃｅｓｓｉｎｇ  Ｕｎｉｔ）５１、ＲＡＭ（Ｒａｎｄｏｍ  Ａｃｃｅｓｓ  Ｍｅｍｏｒｙ）５２、ＲＯＭ（Ｒｅａｄ  Ｏｎｌｙ  Ｍｅｍｏｒｙ）５３、入力装置５４、表示装置５５、印刷装置５６、通信制御装置５７、記憶装置５８、記憶媒体駆動装置５９、入出力Ｉ／Ｆ（インターフェース）６０などの各機能部がバスライン５０で接続されて構成されている。
【００６８】
ＣＰＵ５１は、所定のプログラムに従って、各種の演算処理、及び情報処理やプリンタ３を構成する各構成要素の制御を行ったりする中央処理装置である。
ＣＰＵ５１は、会計計算処理を行うほか、例えば、ＵＲＬサーバ２からＩＤ背景画像を受信して蓄積したり、多色によるＩＤ背景画像と印刷内容を合成してレシート上に印刷する処理などを行う。
【００６９】
ＲＯＭ５３は、プリンタ３を動作させるための基本的なプログラムやデータなどを記憶した読み出し専用のメモリである。
ＲＡＭ５２は、ＣＰＵ５１が動作するためのワーキングエリアを提供する読み書き可能なメモリである。
【００７０】
入力装置５４は、情報入力部３１（図６）を構成するハードウェアであって、テンキーや機能キー、バーコード読み取り装置、その他の入力装置を備えている。
【００７１】
表示装置５５は、文字情報や画像情報を表示する表示装置を備えており、例えば、会計処理による合計金額を携帯電話ユーザに表示する。
表示装置５５は、例えば、液晶ディスプレイ、プラズマディスプレイ、その他のディスプレイ装置で構成されている。
【００７２】
通信制御装置５７は、プリンタ３をインターネットに接続する機能部である。プリンタ３は、通信制御装置５７を介して、ＵＲＬサーバ２やその他のサーバ装置と通信を行うことができる。
また、本部の売り上げ管理サーバが売り上げを管理している場合、プリンタ３は、通信制御装置５７を介して売り上げ管理サーバに接続し、売り上げなどの販売データを送信することができる。
印刷装置５６は、印刷部２９（図６）を構成するハードウェアである。
【００７３】
記憶媒体駆動装置５９は、装着された着脱可能な記憶媒体を駆動し、データの読み書きを行う機能部である。
読み書き可能な記憶媒体としては、例えば、フレキシブルディスク、光磁気ディスク、半導体記憶装置、磁気テープ、紙テープがある。
また、読み取り専用の記憶媒体としては、例えば、ＣＤ−ＲＯＭなどの光ディスク類がある。
【００７４】
プリンタ３は、記憶媒体駆動装置５９に装着した記憶媒体からプログラムのインストールなどを行うことができるほか、記憶媒体に記憶されたＩＤ背景画像を読み込んで画像データ記憶部２６に蓄積したり、記憶媒体に対して蓄積した会計処理データを書き込むこともできる。
【００７５】
記憶装置５８は、例えば、ハードディスクなどで構成された大容量で読み書き可能な記憶装置である。
記憶装置５８には、プログラム類を格納したプログラム格納部６１とデータ類を記憶したデータ格納部６２が形成されている。
【００７６】
プログラム格納部６１には、ＯＳ（Ｏｐｅｒａｔｉｎｇ  Ｓｙｓｔｅｍ）、通信プログラム、会計処理プログラム、…などの各種プログラムがＣＰＵ５１で実行可能に記憶されている。
【００７７】
ＯＳは、ファイル入出力の管理や各種機能部を制御するなど、プリンタ３を運営する基本的な機能をＣＰＵ５１に発揮させるためのプログラムである。
通信プログラムは、通信制御装置５７を制御し、インターネットを介した通信を行うための機能をＣＰＵ５１に発揮させるためのプログラムである。
【００７８】
会計処理プログラムは、プリンタ３にレシートの発行を含む会計処理を行わせるためのプログラムであり、ＩＤ背景画像の選択処理、会計処理、印刷内容の生成、印刷情報の生成、印刷処理などの各機能をＣＰＵ５１に発揮させる。
【００７９】
データ格納部６２には、ＵＲＬサーバ２からダウンロードしたＩＤ背景画像や会計処理データなどが格納されている。
【００８０】
図９は、プリンタ３がレシートを印刷する手順を説明するためのフローチャートである。
まず、情報入力部３１が入力情報の入力を受け付ける（ステップ５）。この入力情報は商品コード、個数などからなる。
【００８１】
次に、画像データ選択部２７が、画像データ記憶部２６から印刷するＩＤ背景画像を選択する（ステップ１０）。本実施の形態では２個選択するものとするが、２個以上選択するように構成することもできる。
次に、印刷内容生成部３０が情報入力部３１で受け付けた入力情報に基づいて、プリンタ３が会計計算を行うと共に、印刷内容生成部３０が、商品名、個数、金額、合計金額、購入日時、店名など、レシートに印刷する内容を規定する印刷内容を生成する。
【００８２】
次に、印刷情報生成部２８が、画像データ選択部２７より２つのＩＤ背景画像を印刷色の設定と共に受け取り、また、印刷内容生成部３０より印刷内容を受け取り、これらを用いて印刷情報を生成する（ステップ１５）。ここで、印刷内容のうち、表記情報がＩＤ背景情報に上書きされる。
次に、印刷情報生成部２８が生成した印刷情報を用いて印刷部２９がレシートを印刷する（ステップ２０）。なお、ＩＤ背景画像は、設定されている印刷色にて印刷される。
【００８３】
以上のように、プリンタ３は、会計処理に伴って、レシートに多色のＩＤ背景画像を背景として表記情報を印刷することができる。
その結果、図５に示したようなＩＤパターンを埋め込まれたレシート４が生成される。
【００８４】
次に、携帯電話５（図６）について説明する。携帯電話５は、カメラ機能とインターネット接続機能を備えた携帯電話である。図１０に、携帯電話５の外観の一例を示す。
携帯電話５は、カメラ７７、表示部７２、操作キー７８、入力キー７４などを備えている。
【００８５】
また、図示しないが、携帯電話５の内部には、ＣＰＵ、ＲＯＭ、ＲＡＭなどから構成される情報処理部と、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）で構成され、各種プログラムやデータを記憶する読み書き可能な記憶媒体を内蔵している。
【００８６】
携帯電話５のＣＰＵは、ＲＯＭやその他の記憶媒体に記憶されたプログラムに従って各種の情報処理を行う。
ＲＡＭは、例えば、ＣＰＵがレシートの撮影画像データを取得したり、取得した撮影画像データをＵＲＬサーバ２に送信したり、更にＵＲＬサーバ２からＵＲＬを受信してサービスサーバ６に接続したりする際のワーキングメモリを提供する。
【００８７】
記憶媒体には、レシートを撮影してサービスサーバ６に接続するためのアプリケーションプログラムが記憶されている。
ＣＰＵは、このアプリケーションプログラムを実行することにより、ＵＲＬサーバ２に接続してレシートの撮影画像データを送信する機能、送信した撮影画像データに応じてＵＲＬサーバ２が送信してくるＵＲＬを受信する機能、受信したＵＲＬを用いて当該ＵＲＬで指定されるウェブサイトに接続する機能、を実現することができる。
また、記憶媒体にはブラウザプログラムも記憶されており、ＣＰＵはこのブラウザプログラムを用いてブラウザ機能を発揮することもできる。
【００８８】
カメラ７７は、レンズなどからなる光学系と、光学系により投影された被写体の画像をデジタルデータに変換するＣＣＤ（Ｃｈａｒｇｅ  Ｃｏｕｐｌｅｄ  Ｄｅｖｉｃｅ）を備えている。携帯電話ユーザが、カメラ７７でレシートを撮影すると、レシートの撮影画像データがＣＰＵにより生成される。
【００８９】
表示部７２は、例えば液晶ディスプレイなどにより構成されており、電話番号など、通話に関する情報を表示するほか、インターネットを介してウェブサイトから送信されてきた各種の画面をブラウザによって表示することができる。
【００９０】
操作キー７８は、例えば、表示部７２に表示されたアイコンを選択したり、あるいはリンクを選択したりなど、表示部７２に表示された画面で携帯電話ユーザが各種の画面操作を行うためのキーである。
入力キー７４は、数字、文字、記号などを携帯電話５に入力するためのキーである。
【００９１】
以上のように構成された携帯電話５によってレシートを撮影すると、携帯電話５がＵＲＬサーバ２に自動的に接続し、レシートのＩＤ背景画像で規定されるトップ画面を表示部７２に表示させることができる。
【００９２】
なお、本実施の形態では、撮影画像データのフーリエ変換、及びＩＤパターンの抽出はＵＲＬサーバ２で行うが、この処理を携帯電話５で行い、抽出したＩＤパターンを携帯電話５からＵＲＬサーバ２に送信するように構成することもできる。
【００９３】
この場合、記憶媒体に記憶するアプリケーションプログラムには、撮影画像データをフーリエ変換するための処理と、フーリエ変換後のデータからＩＤパターンを抽出するための処理をＣＰＵで行うための情報が記述されている。
【００９４】
また、本実施の形態では、携帯電話５でレシートの撮影などの処理を行うように構成したが、他の種類の端末にて同様の機能を実現しても良い。
例えば、カメラと当該アプリケーションを実装したＰＤＡ（Ｐｅｒｓｏｎａｌ  Ｄｉｇｉｔａｌ  Ａｓｓｉｓｔａｎｔ）、ゲーム機、パーソナルコンピュータなどで構成することもできる。
【００９５】
次に、サービスサーバ６（図３）について説明する。サービスサーバ６は、ウェブサーバであり、所定のＵＲＬで特定されるウェブサイトを運営している。
ウェブサイトの運営者は、当該ウェブサイト上で、文字、静止画、動画、音声、リンク情報などを端末装置に提供することができる。
サービスサーバ６のハードウェア的な構成は、基本的にＵＲＬサーバ２と同様である。
【００９６】
次に、図１１を用いて携帯電話５の表示部７２に表示される画面について説明する。
図１１（ａ）は、携帯電話５でアプリケーションを起動した際に表示部７２に表示される画面の一例を示している。
【００９７】
図１１（ａ）の例では、表示部７２に「レシートを撮影してください」などと、携帯電話ユーザにレシートの撮影を促す表示がなされている。
携帯電話ユーザは、この指示に従って、会計の際に受け取ったレシートをカメラ７７で撮影する。
【００９８】
図１１（ｂ）は、アプリケーションの表示に従ってレシートを撮影した後に表示部７２に表示されたトップ画面の一例を示している。
このトップ画面は、携帯電話５がＵＲＬサーバ２に送信した撮影画像データによって、ＵＲＬサーバ２が生成した画面データを、携帯電話５がＵＲＬサーバ２から受信して表示したものである。
【００９９】
このトップ画面では、「今月の特売日」と表示されたボタン８０や、「店舗案内」と表示されたボタン８１などが表示されている。
これらボタンやボタンの表示は、ＵＲＬサーバ２が携帯電話５から送信されてきたＩＤパターンに基づいて設定したものである。
【０１００】
即ち、ＵＲＬサーバ２は、携帯電話５から送信されてきたＩＤ背景画像を赤色と青色のフィルタでフィルタリングし、これをフーリエ変換して２つＩＤパターンを得る。
これら２つのＩＤパターンは、例えば、図４のＩＤ登録番号１とＩＤ登録番号２である。
【０１０１】
そして、ＵＲＬサーバ２は、これらＩＤ登録番号で規定されるＵＲＬにリンクするボタンを生成し、そのボタン上にウェブサイトの名称を配置してトップ画面の画面データを生成したのである。
【０１０２】
このように、ＵＲＬサーバ２は、携帯電話５から送信されてきた背景画像データから抽出した複数のＩＤパターンを用いて、トップ画面の画面データを生成することができる。
これによって、プリンタ３は、レシートに印刷するＩＤパターンの組み合わせにより、携帯電話５で表示するトップ画面をカスタマイズすることができる。
【０１０３】
携帯電話ユーザは、操作キー７８や入力キー７４（図１０）を操作してこれらのボタンから所望のものを選択することができる。
例えば、ボタン８０を選択すると、ボタン８０に設定されたＵＲＬによって携帯電話５がサービスサーバ６に接続され、携帯電話ユーザはボタン８０に対応したサービス（例えば、日ごとの特売商品の案内）を受けることができる。
【０１０４】
同様に、ボタン８１を選択すると、ボタン８０に設定されたＵＲＬによって携帯電話５がサービスサーバ６に接続され、携帯電話ユーザはボタン８１に対応したサービス（例えば、店舗内地図の提示や販売商品の案内）を受けることができる。
サービスサーバ６が提供するサービスは、テキスト、画像のみならず、動画や音声を用いることも可能である。
【０１０５】
図１２は、携帯電話５がサービスサーバ６に接続する手順を説明するためのフローチャートである。
まず、携帯電話ユーザは、店舗にて会計の際にレシートを発行してもらう。そして、携帯電話５のアプリケーションを起動して、携帯電話５にてこのレシートを撮影する。
【０１０６】
これによって、携帯電話５は、レシートの撮影画像データを取得する（ステップ３０）。
そして、携帯電話５は、ＵＲＬサーバ２に接続し、取得した撮影画像データをＵＲＬサーバ２に送信する（ステップ３５）。
【０１０７】
ＵＲＬサーバ２は、携帯電話５から撮影画像データを受信する（ステップ４０）。
そして、ＵＲＬサーバ２は、撮影画像データをフィルタリングして分離した後フーリエ変換し、フーリエ変換後のデータからＩＤパターンを抽出する（ステップ４５）。
【０１０８】
更に、ＵＲＬサーバ２は、抽出した複数のＩＤパターンと、予めＩＤデータベースに登録してあるＩＤパターンを照合することにより検索し、撮影画像データに含まれていたＩＤパターンを特定する（ステップ５０）。
【０１０９】
ＵＲＬサーバ２は、ＩＤパターンを特定すると、ＩＤデータベースにおいて当該ＩＤパターンと対応づけられているＵＲＬとウェブサイトの名称を取得する。そして、これらＵＲＬと名称を用いてトップ画面の画面データを生成し、携帯電話５に送信する（ステップ５５）。
【０１１０】
携帯電話５は、ＵＲＬサーバ２より画面データを受信し（ステップ６０）、これを用いてトップ画面を表示する。
ユーザがトップ画面に表示されているボタンを選択すると、携帯電話５は、当該ボタンに設定されたＵＲＬにてサービスサーバ６に接続する（ステップ６５）。
【０１１１】
サービスサーバ６は、携帯電話５からの接続を受け付けて、当該ＵＲＬに対応する情報を携帯電話５に送信し、これによってユーザが携帯電話５でサービスの提供を受けることができる（ステップ７０）。
図１３は、ＩＤ背景画像の印刷方法の変形例を示した図である。
この例では、ＩＤ背景画像８０に中抜き領域８２を設け、そこに印刷内容８１を印刷している。
このように、印刷内容を印刷する領域の周囲を空白とすることにより、より印刷内容を目視し易く印刷することができる。
ＩＤ背景画像は５０％程度まで失われてもＩＤパターンが識別可能な程度に復元できるため、このようにＩＤ背景画面の一部を消去することも可能である。
【０１１２】
以上に説明した本実施の形態では、一例として、レシートにＩＤ背景画像を適用したが、これに限定するものではなく、各種の印刷媒体に適用することができる。
【０１１３】
例えば、切符の背景画像として複数のＩＤ背景画像を多色にて印刷することが可能である。
この場合、時刻表、列車遅延情報、行き先駅の周辺イベント情報などの複数の情報を提供するためのＩＤ背景画像を色材別に設定することができる。
【０１１４】
また、多色によるＩＤ背景画像を、乗車料金をプリペイド式にて支払うＩＣカードに適用することもできる。この場合、ＩＣカードに、利用の明細、乗車以外の利用情報提供、利用可能な駅周辺の複数の情報提供を行うためのＩＤ背景画像を印刷する。
【０１１５】
また、多色によるＩＤ背景画像を食品ラベルに適用することもできる。この場合、色材別に、生産履歴、食品安全情報、販売店のチラシ宣伝などの複数の情報提供が行える。
【０１１６】
ところで、以上に説明した本実施の形態では、周波数領域を用いたＩＤパターンの埋め込みとして、フーリエ変換を採用したが、これは一例であって、この他の変換としては、例えばＤＣＴ（離散コサイン変換：Ｄｉｓｃｒｅｔｅ  Ｃｏｓｉｎｅ  Ｔｒａｎｓｆｏｒｍ）やウェーブレット変換などがある。
【０１１７】
また、本実施の形態では、一例として店舗などで会計の際に発行するレシートにＩＤ背景画像を印刷したが、ＩＤ背景画像の用途はこれに限定するものではなく、例えば、雑誌、新聞、ポスターなどの各種印刷物に適用することができる。
更に、ＩＤ背景画像は、印刷物のみならず、ディスプレイなどの表示装置に表示することもできる。
【０１１８】
更に、本実施の形態では、ＩＤパターンとＵＲＬを対応づけたが、これは一例であって、ＩＤパターンに対応づける情報は、画像、音声、文字など、各種のものが考えられる。
例えば、ＩＤ背景パターン上に表記情報としてクイズを印刷し、ＩＤパターンにクイズの答えを対応づけ、ＩＤ背景パターンを撮影するとクイズの答えを閲覧できるようにすることもできる。
【０１１９】
以上に説明した本実施の形態により次のような効果を得ることができる。
（１）周波数領域にてＩＤパターンを規定し、これを背景として印刷内容を印刷することができる。
（２）複数のＩＤ背景画像を、フィルタによって分離可能な色材によって印刷媒体上の同一面に重ねて印刷することかできるため、情報密度を高めることができる。
【０１２０】
（３）ＩＤ背景画像の濃淡度を印刷内容とは独立に調節することができる。
（４）ＩＤ背景画像に印刷内容を上書きするため、高度な画像処理機能を有しない印刷装置でも実施することができる。
（５）ＩＤパターンは周波数領域で定義してあるため、ＩＤ背景画像が印刷精度などの関係により劣化したとしても、ＩＤパターンを照合可能な程度に復元することができる。そのため、印刷精度の低い、小型・軽量で簡易な印刷装置にて印刷することができる。
【０１２１】
（６）ＩＤ背景画像に印刷内容を上書きするため、印刷媒体の印刷面を節約することができ、印刷媒体が小さな紙片であっても適切にＩＤパターンを持たせることができる。
（７）携帯電話は、ＩＤ背景画像が印刷された媒体を撮影することにより、ＩＤパターンに対応づけられたウェブサイトに自動接続することができる。
（８）自動接続したウェブサイト上で文字、静止画像、動画像、音声、リンク情報など、各種の情報をユーザに提供することができる。
【図面の簡単な説明】
【０１２２】
【図１】本実施の形態の概要を説明するための図である。
【図２】ＩＤ背景画像の多重化を説明するための図である。
【図３】本実施の形態の情報提供システムの構成を示したブロック図である。
【図４】ＩＤデータベースの論理的な構成の一例を示した図である。
【図５】ＩＤ背景画像が印刷されたレシートの外観の一例を示した図である。
【図６】プリンタの機能的な構成の一例を示したブロック図である。
【図７】面積階調の方法を説明するための図である。
【図８】プリンタのハードウェア的な構成の一例を示したブロック図である。
【図９】プリンタがレシートを印刷する手順を説明するためのフローチャートである。
【図１０】携帯電話の外観の一例を示した図である。
【図１１】レシートの撮影に関して携帯電話に表示される画面の一例を説明するための図である。
【図１２】携帯電話がサービスサーバに接続する手順を説明するためのフローチャートである。
【図１３】ＩＤ背景画像の印刷方法の変形例を説明するための図である。
【符号の説明】
【０１２３】
１  情報提供システム
２  ＵＲＬサーバ
３  プリンタ
４  レシート
５  携帯電話
６  サービスサーバ
１０  ＩＤパターン
１１  ＩＤ背景画像
１２  ＩＤ背景画像
１３  印刷物
１４  表記情報
１５  ＩＤパターン
１６  ＩＤパターン成分
１７  周波数成分
【図１】
2006270379.tif 000003
【図２】
2006270379.tif 000004
【図３】
2006270379.tif 000005
【図４】
2006270379.tif 000006
【図５】
2006270379.tif 000007
【図６】
2006270379.tif 000008
【図７】
2006270379.tif 000009
【図８】
2006270379.tif 000010
【図９】
2006270379.tif 000011
【図１０】
2006270379.tif 000012
【図１１】
2006270379.tif 000013
【図１２】
2006270379.tif 000014
【図１３】
2006270379.tif 000015